(57)【要約】【課題】後利用しにくい携帯電話の会話内容を有効に活用する【解決手段】携帯電話を用いて、音声通信伝送および通信伝送を行う無線通信手段と、音声通信伝送によるやりとりデータをＷｅｂ上に設けた通信者用のサーバーに転送する手段を備えたことを特徴とする携帯電話を用いたデータ処理装置としたものである。さらに、通信者用のサーバー上に自動的に転送する際に、音声通信伝送によるやりとりデータを音声認識手段によりテキストデータ化する手段を備えたものである。さらに、やりとりデーターをマークアップ言語形式で管理して保存する手段を備えたものである。【選択図】　　　　図２
2004129168.tif 000002
【特許請求の範囲】
【請求項１】
携帯電話を用いて、音声通信伝送および通信伝送を行う無線通信手段と、音声通信伝送によるやりとりデータをＷｅｂ上に設けた通信者用のサーバーに転送する手段を備えたことを特徴とする携帯電話を用いたデータ処理装置
【請求項２】
請求項１において、通信者用のサーバー上に自動的に転送する際に、音声通信伝送によるやりとりデータを音声認識手段によりテキストデータ化する手段を備えたことを特徴とする携帯電話を用いたデータ処理装置
【請求項３】
請求項１または２において、音声通信伝送によるやりとりデーターもしくはテキスト化されたやりとりデータをマークアップ言語形式で管理して保存する手段を備えたことを特徴とする携帯電話を用いたデータ処理装置
【請求項４】
請求項１において、Ｗｅｂ上に設けられた通信者用のサーバーに転送するか否かを決定できる手段を設けたことを特徴とする携帯電話を用いたデータ処理装置
【請求項５】
請求項１において、通信者用のサーバー上に自動的に転送する際に、音声通信伝送によるやりとりをデジタル圧縮する手段を備えたことを特徴とする携帯電話を用いたデータ処理装置
【請求項６】
請求項５において、データをデジタル圧縮する際に音声再生速度を上げて圧縮する早回し圧縮手段を備えたことを特徴とする携帯電話を用いたデータ処理装置
【請求項７】
請求項１において、通信者用のサーバー上に自動的に転送する際に、通信日時のデータ単位でフォルダを作成して、そこに保存する手段を備えたことを特徴とする携帯電話を用いたデータ処理装置
【請求項８】
請求項１において、通信者用のサーバー上のデータを一定時間経過後、または一定容量を越えた時に古い順で自動的に削除していく手段を備えたことを特徴とする携帯電話を用いたデータ処理装置
【請求項９】
デジタル画像撮影機能がついた携帯電話を用いて、音声通信伝送および通信伝送を行う無線通信手段と、携帯電話に設けたデジタル画像データをＷｅｂ上に設けた通信者用のサーバーに自動的に転送する手段を備えたことを特徴とする携帯電話を用いたデータ処理装置
【請求項１０】
請求項９において、通信者用のサーバー上に自動的に転送する際に、通信日時のデータ単位でフォルダを作成して、そこに保存する手段を備えたことを特徴とする携帯電話を用いたデータ処理装置
【請求項１１】
請求項９において、通信者用のサーバー上のデータを一定時間経過後、または一定容量を越えた時に古い順で自動的に削除していく手段を備えたことを特徴とする携帯電話を用いたデータ処理装置
【請求項１２】
デジタル画像撮影機能がついた携帯電話を用いて、音声通信伝送および通信伝送を行う無線通信手段と、携帯電話に設けたデジタル画像データをＷｅｂ上に通信者用のサーバーに自動的に転送する手段を備えるとともに、音声データをデジタル圧縮する手段と、デジタル画像を併用した画面と合成しマークアップ言語形式で記述する手段を備えたことを特徴とする携帯電話を用いたデータ処理装置
【請求項１３】
デジタル画像撮影機能がついた携帯電話を用いて、音声通信伝送および通信伝送を行う無線通信手段と、携帯電話に設けたデジタル画像データをＷｅｂ上に通信者用のサーバーに自動的に転送する手段を備えるとともに、デジタル画像データの表示をマークアップ言語形式で記述する手段を備えたことを特徴とする携帯電話を用いたデータ処理装置
【請求項１４】
デジタル画像撮影機能がついた携帯電話を用いて、音声通信伝送および通信伝送を行う無線通信手段と、携帯電話に設けたデジタル画像データをＷｅｂ上に通信者用のサーバーに自動的に転送する手段を備えるとともに、音声データは音声認識手段によりテキスト化する手段と、デジタル画像を併用した画面と合成して、マークアップ言語形式で記述する手段を備えたことを特徴とする携帯電話を用いたデータ処理装置
【発明の詳細な説明】
【０００１】
【発明の属する技術分野】
本発明は、携帯電話の送受信装置に関わり、より詳細には、音声データとインターネットのＷｅｂサーバーを連動させた携帯電話のシステムに関するものである。
【０００２】
【従来の技術】
特開２００２−２１８０９２号公報においては、公衆通信回線に接続された携帯電話と、無線通信手段と、音声入力手段と、入力音声信号よりテキストデータを認識出力する音声認識手段と、操作ボタンや操作データにより電子メールの作成操作を行う作成操作手段と、メールデータ入力手段と、電子メール作成手段と、宛先入力手段と、受話のための音声出力手段と、電子メールの表示出力手段と、送受信する電子メールデータを記憶するメモリ手段が提案されている。
【０００３】
【発明が解決しようとする課題】
しかしながら、この技術にはいくつかの難点が存在する。すなわち
（１）音声認識を携帯電話で行おうとするので、携帯電話のＣＰＵに高性能のものを採用しなければならない。
（２）話し言葉は書く文章と違って、冗長な部分が多いため、そのままメール送信するのには適さない。
（３）携帯電話で話した内容をメールで携帯電話端末に送信することは、表示画面が狭い携帯電話にはあまり適していない。
（４）会話内容の全てをサーバーに転送する必要はない。単なるコミュニケーションの会話までテキスト化することは不要だからである。
（５）携帯電話にデジタルカメラを搭載した機種が登場しているが、この写真データは携帯電話の機能上の制限から保持できる枚数に限りがある。
（６）携帯電話を所有しており、パソコンを所有していないユーザーは、ホームページを作成することができなかった。
以上に説明した問題点に鑑み、本発明は、携帯電話での会話を通信者用のＷｅｂサーバーに転送して、それから音声認識などを行い、データを蓄積していける携帯電話の会話内容のデータ処理装置の提案を目的とする。
【０００４】
【課題を解決するための手段】
この問題を解決するために、本発明においては、携帯電話を用いて、音声通信伝送および通信伝送を行う無線通信手段と、音声通信伝送によるやりとりデータをＷｅｂ上に設けた通信者用のサーバーに転送する手段を備えたことを特徴とする携帯電話を用いたデータ処理装置としたものである
また、通信者用のサーバー上に自動的に転送する際に、音声通信伝送によるやりとりデータを音声認識手段によりテキスト化する手段を備えたものである。
さらに、音声通信伝送によるやりとりデーターもしくはテキスト化されたやりとりデータをマークアップ言語形式で管理して保存する手段を備えたことを特徴とする携帯電話を用いたデータ処理装置としたものである
【０００５】
【発明の実施の形態】
図１に基づいて本発明に関わるメール装置の実施例を説明する。携帯電話Ｋは以下のものを備えている。この携帯電話は、通信回線に接続された携帯電話とそのシステムの概念図を示している。携帯電話には、音声を入力する音声入力手段１０と、音声を出力する音声出力手段１１が設けられている。
１２は携帯電話の番号入力部であり、１３は携帯電話の各種の機能ボタンであり、円形で、押す方向によって機能を選択することができる。
８はデジタルカメラ機能であり、このファインダーを覗いて機能ボタン１３を上方向に押すことにより、携帯電話でデジタルカメラ写真を撮ることができる。動画を撮影する機能があってもよい。
【０００６】
まず、音声入力手段１０と、音声出力手段１１と、接続先や宛先を入力すると共に電子メールのメールデータを入力するテンキー１２と、接続操作やメール作成操作を行う操作手段１３と、操作データや電子メールを表示する表示手段１４などで構成される携帯電話１を用いて電子メールの送受信が行われている。
なお１５は、音声通信伝送およびパケット通信伝送を行う無線通信手段である。この中に、音声をＷｅｂサーバー（インターネットの特定アドレス）に送信（アップロード）するか否かを決定する転送許可ボタン９である。
【０００７】
なお、この携帯電話は、その携帯電話単体で電子メールを発信することが可能である。そのためにデータ入力キーを兼ねるダイヤルキー１２とで行われる。
この携帯電話は、通信回線３に接続され音声通信手段による音声通信送受信部とパケット通信手段によるパケット通信送受信部とを有する無線通信手段１５を備えている。
この通信回線３は公衆回線でも、無線回線でも良い。会話が始まる時に重要な話だと通話者が判断した時には、通信者は携帯電話の転送許可ボタン９を押す。すると、通話内容が通信回線３を経由して、Ｗｅｂサーバー（プロバイダ）に転送される。この時、受信時刻とともに通信音声がデジタル圧縮された形でＷｅｂサーバーに転送されて、Ｗｅｂサーバーに保存されることになる。
この時に重要なのは、話している人間を区別して、データを記録する必要があるという点である。すなわち、この音声入力手段１０と音声出力手段１１のデータは、それぞれが別データとしてサーバーに転送される。更に会話している時刻と連動して記録する工夫が必要になる。
例えば、１０時５０分１１秒に音声入力手段１０に「もしもし、山本ですが、今どこにいらっしゃいますか」と入力され、その音声入力が終わらないうち、例えば１０時５０分１４秒に音声出力手段１１から「今、日本橋にいます。」という出力が行われた場合に、別々のデータとして処理する必要が生じることになる。
また音声として圧縮して記録するのではなく、音声認識手段２３により会話内容をテキスト化しても良い。
【０００８】
ＦはＷｅｂサーバー上に設けられた通信者用のサーバースペースである。
ＰはモニタＭを備えたパソコンであり、ＣＰＵやメモリやハードディスクなどの各種記憶装置を備える。データ処理部Ｄは、通信者用のサーバースペースＦかあるいは、Ｗｅｂに接続できるパソコンに設けられ、受信時刻記録手段２１、データ記録手段２２、音声処理手段２３を備えている。このデータ処理部は、Ｗｅｂ（インターネット）上に設けられていても良いし、パソコンＰに設けられていても良い。しかし、Ｗｅｂ上に記録されている状態のまま、処理できる方が好ましい。
【０００９】
図２に基づいてもう少し詳細に説明する。より詳細に説明するために、図１で用いた番号と一致しないのをご容赦いただきたい。
携帯電話３１は、音声出力部３２と音声入力部を備えている。つまり、電話の通話を成立させるために、必要な機能である。更に、携帯電話３１は画像撮影部も備えている。これは、一般にデジタルカメラと呼ばれる。図１では８という番号を用いて説明した。
【００１０】
図２で枠５で囲った部分が、本発明のＷｅｂ上に設けられた通信者用のサーバー上での処理を示している。通信者用のサーバーとは、例えばインターネット上のプロバイダが運営するにＷｅｂスペースである。
【００１１】
まず、音声出力部３３からのデータは、データ圧縮部５１によりデジタル圧縮された上で、Ｗｅｂ上に設けられた通信者用のサーバー上の音声記録部５５に記録される。この時、日時記録部５４の作用により、いつの時点での通話なのかもデータベース化される。
携帯電話の通信者が音声での再生をリクエストした場合には、音声出力部５７から音声データ（会話データ）が出力されて、携帯電話の端末で再生して聞くことができる。
【００１２】
また、前記の音声出力部３３からのデータは、Ｗｅｂ上に設けられた通信者用のサーバー上の文字変換部５２によりテキスト文字に変換された後に文字記録部５６に保存される。この時、日時記録部５４の作用により、いつの時点での通話なのかがデータベース化される。
【００１３】
携帯電話の通信者がメールでの再生をリクエストした場合には、文字出力部５８から、テキストのメールが出力されて、携帯電話の端末でメールの形で読むことができる。またこの時に、通信者が所有するパソコンの端末にメールするようにしても良い。また再生のリクエスト自体もパソコンの端末からも行えるように構成することが望ましい。
【００１４】
次に、画像撮影部３４からのデータは、Ｗｅｂ上に設けられた通信者用のサーバー上の画像記録部に記録される。この時、日時記録部５４の作用により、いつの時点での画像なのかもデータベース化される。なお画像は静止画像であっても動画像であっても良い。
携帯電話の通信者が画像の閲覧をリクエストした場合には、画像記録部５４から画像データが出力されて、携帯電話の端末で見ることができる。またこの時に、通信者が所有するパソコンの端末から閲覧したり、メールの形で受け取れるようにしても良い。
【００１５】
さらに、文字出力部５８と画像記録部５３のデータを用いて、ＨＴＭＬ変換部５９に送ることによりＨＴＭＬ言語で記述するいわゆるホームページを作成することができる。
なお、ＨＴＭＬ言語でなくとも、マークアップ言語である、ＳＧＭＬやＨＴＭＬやＴｅＸなどで記述しても良い。
【００１６】
これもＷｅｂ上に設けられた通信者用のサーバーに設けられるが、通信者が一般に公開しても良いと判断した場合には、その旨を指定しても良い。
この場合はプライバシーの問題が発生するため、通話相手は特定の電話番号にホームページ作成支援ダイヤルとしておくことが好ましい。例えば「携帯電話番号は」「氏名は」「住所は」「趣味は」といった定型的な質問がホームページ作成支援ダイヤルから自動的に質問され、それに答えていく形で行うことになる。
【００１７】
図３に示す本発明によるフローチャートで、本発明による携帯電話を用いたデータ処理装置の一実施例を説明する。
図３のステップ６１において「公開ホームページを作成するか」についての質問がなされる。通常はこの質問はなされず、自動的にステップ６２に進む。公開ホームページを作成する場合には、次のステップ６２によって、特定のダイヤルまたはサーバーから構成されたシステムからの質問に答えることになる。例えば、「携帯電話番号は？」「氏名は？」「住所は？」「趣味は？」といった質問である。もちろん、答えたくない質問は回答を省略しても良い。
【００１８】
これらの質問に回答していくことにより、ステップ６３において、回答が音声認識機能により、テキスト化される。テキスト化しなくても、音声データのままでも良い。
ステップ６４において、アップロードするデジタルカメラ画像の要求がなされる。これは動画であっても良い。また画像の入力は省略しても良い。というのは、プライバシーの問題と、デジタルカメラの機能を持たない機種も存在するからである。
【００１９】
このように、ホームページ自動作成システムからの質問に、携帯電話から回答していくだけで、ステップ６５によりＨＴＭＬ言語によるホームページが作成される。この場合には、一般に公開することを前提としているから、特別なパスワードなどを入力しなくても、誰でも閲覧することができる。
【００２０】
なお、ＨＴＭＬ言語とは、マークアップ言語の一種である。文書の一部を「タグ」と呼ばれる特別な文字列で囲うことにより、文章の修飾情報などを記述していく。例えば、ＳＧＭＬやＨＴＭＬやＴｅＸなどがある。実施例では、ＨＴＭＬ形式のものを示したが、マークアップ言語であれば足りる。
【００２１】
図３のステップ６１において「公開ホームページを作成しない」場合には、ステップ６６において「記録するか否か」が問われる。実際には、転送許可ボタン９がオンになっている場合に記録が行われる。
【００２２】
次のステップ６７において、日時と音声が、Ｗｅｂ上に設けられた通信者用のサーバーに記録される。この時に音声はＭＰ３などのデジタル圧縮を行ったり、再生時間を半分にする早口記録モードでデジタル圧縮される。
【００２３】
次に、ステップ６８において、音声認識機能により、テキスト化されることになるが、これは必須の構成ではない。音声データのままでサーバーに記録するだけでも良いからである。
【００２４】
そして、これらのデータは、ステップ６５によりＨＴＭＬ言語によるホームページが作成される。この場合には、一般に公開することは前提としないから、アクセスには特別なパスワードなどを入力するようなプライバシー保護手段が付与される。
【００２５】
以上で、本発明の実施例を説明した。その他に開示する発明があるので、記述しておく。従来はテレビ録画はいわゆるＧコードで録画予約するのが通常であった。しかし、見たいと思っていても、うっかりして録画予約を忘れたり、その時にテレビのスイッチをつけないことがあり、見損ねることが多々あった。
【００２６】
図４における構成は図１と共通した図番は同じであるが、一応記載しておく。
この携帯電話Ｋには、音声を入力する音声入力手段１０と、音声を出力する音声出力手段１１が設けられている。
１２は携帯電話の番号入力部であり、１３は携帯電話の各種の機能ボタンであり、円形で、押す方向によって機能を選択することができる。
８はデジタルカメラ機能であり、このファインダーを覗いて機能ボタン１３を上方向に押すことにより、携帯電話でデジタルカメラ写真を撮ることができる。動画を撮影する機能があってもよい。
【００２７】
なお、この携帯電話は、その携帯電話単体で電子メールを送受信することが可能である。そのためにデータ入力キーを兼ねるダイヤルキー１２とで行われる。
この携帯電話は、通信回線３に接続され音声通信手段による音声通信送受信部とパケット通信手段によるパケット通信送受信部とを有する無線通信手段１５を備えている。
【００２８】
図１と異なるのは、携帯電話機Ｋにビデオを予約するためのリモコン発信機である赤外線発生器１６が付属している点である。ビデオを予約するための信号を発生させるものであれば、赤外線でなくても良い。
そして、テレビＴとビデオＶおよびビデオＶのリモコン受信部１７が設置されている。
【００２９】
携帯電話の利用者はＷｅｂ上に設けられているテレビ番組表のサーバーに基づいて、テレビ番組の一覧リストとその予約コード入手する。予約コードとしては、Ｇコードが広く普及しているため、本実施例ではこれを用いる場合を示した。
この予約コードの入手方法は、予めテレビ番組表のサーバーに対して、携帯電話のメールアドレスならびに条件を入力しておき、該当する番組のデータのみを送ってもらうように構成する。
この条件とは、、キーワード（例えば、番組名や好きな歌手名など）を登録しておくか、好きなジャンル（例えば歌番組やドキュメンタリーやドラマ）を登録しておくことにより行われる。
【００３０】
携帯電話を用いて、音声通信伝送および通信伝送を行う無線通信手段を備えると共に、この携帯電話にはテレビまたはビデオのリモコン発信機を取り付け、予め登録した条件に合致するテレビ番組の予約コードをＷｅｂ上のテレビ番組表のサーバーから発送してもらうと共に、その予約コードを携帯電話のリモコン発信機から発信できるように構成したものである。
【００３１】
さらに番組の放映時間が近づくと電話またはメールで連絡してもらうシステムを構築することにより、より確実に運用できる。
【００３２】
上記した実施例においては、テレビまたはビデオのリモコンがついていることを必須要件としたが、そうでない発明の実施例も開示する。
携帯電話を用いて、音声通信伝送および通信伝送を行う無線通信手段を備えると共に、予め登録した条件に合致するテレビ番組の放映時間が近づくとテレビ番組表のサーバーから電話かメールを発信してもらうように構成したものである。
【００３３】
このように構成することにより、見たいテレビ番組を比較的もれなく鑑賞あるいは録画することが容易になり、携帯電話のＷｅｂ機能をより一層活用できる。
【００３４】
また、従来は、スケジュールをＰＤＡ（個人用の携帯情報端末であり、手のひらに収まるくらいの大きさの電子機器）によって管理することが行われているが、携帯するには重いという問題点がある。
そこで、スケジュール時刻（例えば、起床時間、出社時間、昼休み時間、帰社時間、夕食時間など）を、Ｗｅｂ上に設けた通信者用のサーバーに登録しておき、そのサーバーから携帯電話に電話かメールを自動発信してもらうように構成する。
すなわち、携帯電話を用いて、音声通信伝送および通信伝送を行う無線通信手段と、Ｗｅｂ上に設けた通信者用のサーバーにスケジュールを登録する手段と、通信者のサーバーにアクセスして、スケジュール時刻になった場合に、携帯電話に電話をするか、メールを送るスケジュール連絡手段を備えたことを特徴とする携帯電話を用いたデータ処理装置を構成する。
このように構成することで、軽量で必携の携帯電話で自動的にスケジュール管理をすることができ、規則正しい生活を送ることができる効果がある。
【００３５】
【発明の効果】
本発明は以上に説明した内容で実施され、以下に述べる効果を奏する。
携帯電話を用いて、音声通信伝送および通信伝送を行う無線通信手段と、音声通信伝送によるやりとりをＷｅｂ上に設けた通信者用のサーバーに転送する手段を備えたことを特徴とする携帯電話を用いたデータ処理装置を構成した場合には、携帯電話における通話内容をサーバー上に記録しておくことができることになり、後で利用・加工することが容易に行える。
【００３６】
通信者用のサーバー上に自動的に転送する際に、音声通信伝送によるやりとりデータを音声認識手段によりテキスト化する手段を備えたことを特徴とする携帯電話を用いたデータ処理装置とした場合には、音声認識によりデータ量を飛躍的に減らしてサーバーに保存することができる。
またこれらのデーターをマークアップ言語形式で管理して保存する手段を備えることにより、マークアップ言語でホームページを見るかのような感覚で簡単に通話記録を閲覧できる。またマークアップ言語はテキスト形式なので、後で編集することも容易である。
【００３７】
Ｗｅｂ上に設けられた通信者用のサーバーに転送するか否かを決定できる手段を設けることによって、サーバー上に保存することが必要なデータのみを転送することができるために、サーバー容量の節減ができる。
【００３８】
音声通信伝送によるやりとりデータを音声認識手段によりテキスト化する手段と、テキスト化されて保存されたデータを自動読み上げ手段で読み上げる手段を備えるように構成すれば、保存したデータは小さくできると共に、携帯電話の受話器で通話内容を確認できるために他の作業と併用しての作業が可能となる。
【００３９】
通信者用のサーバー上に自動的に転送する際に、音声通信伝送によるやりとりデータをデジタル圧縮する手段を備えることによって、サーバーのデータの容量の節減が行える。特にそのデジタル圧縮が会話録画時間よりも短い早回しモードの場合には、データ容量の節減の効果は大きい。
【００４０】
通信者用のサーバー上に自動的に転送する際に、通信日時のデータ単位でフォルダを作成して、そこに保存する手段を備えることによって、日時単位でのデータ管理を行うことができる。一般的に最新の電話ほど重要であることが多いため、その利用価値は大きいと言える。
通信者用のサーバー上のデータを一定時間経過後、または一定容量を越えた時に古い順で自動的に削除していく手段を備えることによって、古い会話を削除する手間をかけなくても、サーバーのデータの容量を節減できる。
【００４１】
デジタル画像撮影機能がついた携帯電話を用いて、音声通信伝送および通信伝送を行う無線通信手段と、携帯電話に設けたデジタル画像データをＷｅｂ上に設けた通信者用のサーバーに自動的に転送する手段を備えることによって、記憶容量が少ない携帯電話をあたかも記憶容量が多いデジタルカメラのように用いることができる。
通信者用のサーバー上に自動的に転送する際に、通信日時のデータ単位でフォルダを作成して、そこに保存する手段を備えることによって、いつ撮影したかを撮影者が把握しやすくなり、画像データの整理が簡単になる。
通信者用のサーバー上のデータを一定時間経過後、または一定容量を越えた時に古い順で自動的に削除していくことにより、古い画像データを削除する手間をかけなくても、サーバーのデータの容量を節減できる。
【００４２】
デジタル画像撮影機能がついた携帯電話を用いて、音声通信伝送および通信伝送を行う無線通信手段と、携帯電話に設けたデジタル画像データをＷｅｂ上に通信者用のサーバーに自動的に転送する手段を備えるとともに、音声データをデジタル圧縮する手段と、デジタル画像を併用した画面と合成しマークアップ言語形式で記述する手段を備えることによって、音声データと画像データにより構成されるホームページを作成することが容易に行える。またデータのメンテナンスもマークアップ言語を編集することで容易に行える。
【００４３】
デジタル画像撮影機能がついた携帯電話を用いて、音声通信伝送および通信伝送を行う無線通信手段と、携帯電話に設けたデジタル画像データをＷｅｂ上に通信者用のサーバーに自動的に転送する手段を備えるとともに、デジタル画像データの表示をマークアップ言語形式で記述する手段を備えることにより、デジタル画像データにより構成されるホームページを作成することが容易に行える。またデータのメンテナンスもマークアップ言語を編集することで容易に行える。
【００４４】
また、デジタル画像撮影機能がついた携帯電話を用いて、音声通信伝送および通信伝送を行う無線通信手段と、携帯電話に設けたデジタル画像データをＷｅｂ上に通信者用のサーバーに自動的に転送する手段を備えるとともに、音声データは音声認識手段によりテキスト化する手段と、デジタル画像を併用した画面と合成して、マークアップ言語形式で記述する手段を備えることにより、テキストとデジタル画像という小さな容量でのホームページの作成が容易になる。またマークアップ言語はテキストで構成されているため、そのソースはテキスト形式になっている。これを編集して、冗長な部分を削って後利用することもできる。
【図面の簡単な説明】
【図１】本発明に関わる携帯電話を用いたデータ処理装置の第一の実施例の構成図である。
【図２】本発明に関わる携帯電話を用いたデータ処理装置の第二の実施例の要部ブロック図である。
【図３】本発明による携帯電話を用いたデータ処理装置のフローチャートである。
【図４】本発明に関連する携帯電話の構成図である。
【符号の説明】
３　公衆通信回線
１０　音声入力手段
１１　音声出力手段
【図１】
2004129168.tif 000003
【図２】
2004129168.tif 000004
【図３】
2004129168.tif 000005
【図４】
2004129168.tif 000006